(57)【要約】【課題】ダイオードを用いることなく流電陽極方式において効果的な逆流防止措置を講ずる。【解決手段】防食対象Ｍと流電陽極２とを逆流防止手段１０を介して電気的に接続する。逆流防止手段１０は、防食対象Ｍと流電陽極２とを電源無しで接続する通常回路１１、防食対象Ｍと流電陽極２とを逆流防止電流出力電源１２Ａを介して接続する逆流防止回路１２、流電陽極２に流入する電流の状況に基づいて切り替えが必要と判断した場合に、通常回路１１を逆流防止回路１２に切り替える切り替え制御手段１３を備えている。切り替え制御手段１３は回路切り替え手段１４を作動させて通常回路１１と逆流防止回路１２とを切り替えるものである。【選択図】図２
2008121061.tif 000002
【特許請求の範囲】
【請求項１】
防食対象と流電陽極とを逆流防止手段を介して電気的に接続するカソード防食システムであって、
前記逆流防止手段は、
前記防食対象と前記流電陽極とを電源無しで接続する通常回路と、
前記防食対象と前記流電陽極とを逆流防止電流出力電源を介して接続する逆流防止回路と、
前記流電陽極に流入する電流の状況に基づいて切り替えが必要と判断した場合に、前記通常回路を前記逆流防止回路に切り替える切り替え制御手段と、
を備えることを特徴とする流電陽極方式によるカソード防食システム。
【請求項２】
防食対象と流電陽極とを逆流防止手段を介して電気的に接続するカソード防食システムであって、
前記逆流防止手段は、
前記防食対象と前記流電陽極とを電源無しで接続する通常回路と、
前記防食対象と前記流電陽極とを逆流防止電流出力電源を介して接続する逆流防止回路と、
前記通常回路と前記逆流防止回路とを選択的に切り替える回路切り替え手段と、
前記通常回路選択時の通過電流を検出する電流検出手段と、
前記電流検出手段の検出結果に基づいて切り替えが必要と判断した場合に、前記回路切り替え手段を作動させて前記通常回路を前記逆流防止回路に切り替える切り替え制御手段と、
を備えることを特徴とする流電陽極方式によるカソード防食システム。
【請求項３】
前記切り替え制御手段は、前記通常回路を前記逆流防止回路に切り替えた時点から設定時間後に、前記回路切り替え手段を作動させて前記通常回路に切り替えることを特徴とする請求項２に記載された流電陽極方式によるカソード防食システム。
【請求項４】
前記切り替え制御手段は、前記防食対象から前記流電陽極に流れる流出電流が閾値以下又は未満になったときに前記通常回路を前記逆流防止回路に切り替えることを特徴とする請求項２又は３に記載された流電陽極方式によるカソード防食システム。
【請求項５】
前記電流検出手段は電流検出用抵抗からなり、
前記切り替え制御手段は、前記電流検出用抵抗の両端極性が反転したときに前記通常回路を前記逆流防止回路に切り替えることを特徴とする請求項２又は３に記載された流電陽極方式によるカソード防食システム。
【請求項６】
前記切り替え制御手段は、作動異常時に強制的に前記通常回路に切り替える異常時対応機能を備えることを特徴とする請求項１〜５のいずれかに記載された流電陽極方式によるカソード防食システム。
【請求項７】
防食対象と流電陽極とを電気的に接続する流電陽極方式によるカソード防食方法であって、
前記防食対象と前記流電陽極とを電源無しで接続する通常回路によって防食する通常防食工程と、
前記防食対象と前記流電陽極とを逆流防止電流出力電源を介して接続する逆流防止回路によって防食する逆流防止防食工程と、
前記流電陽極に流入する電流の状況に基づいて切り替えが必要と判断した場合に、前記通常防食工程から前記逆流防止防食工程に切り替える切り替え工程と、を有することを特徴とする流電陽極方式によるカソード防食方法。
【請求項８】
防食対象と流電陽極とを電気的に接続する流電陽極方式によるカソード防食方法であって、
前記防食対象と前記流電陽極とを電源無しで接続する通常回路の通過電流を検出する電流検出工程と、
前記電流検出工程の検出結果に基づいて切り替えが必要と判断した場合に、前記通常回路を、前記防食対象と前記流電陽極とを逆流防止電流出力電源を介して接続する逆流防止回路に切り替える第１の切り替え工程と、
前記第１の切り替え工程の切り替え時点から設定時間後に前記逆流防止回路を前記通常回路に切り替える第２の切り替え工程と、
を有することを特徴とする流電陽極方式によるカソード防食方法。
【発明の詳細な説明】
【技術分野】
【０００１】
本発明は、流電陽極方式によるカソード防食システム、このシステムを用いたカソード防食方法に関するものである。
【背景技術】
【０００２】
土壌，海水等の電解質中に存在する金属体の腐食を防止するためには、金属体表面と電解質を隔絶することに加えて、金属体表面に電流（防食電流）を流入させてアノード反応を起こさせないようにする（金属体表面全体にカソード反応を起こさせる）カソード防食法が最も有効な方法であることが知られている。
【０００３】
現在、土壌埋設パイプライン等に対して行われているカソード防食法には、流電陽極方式と外部電源方式がある。外部電源方式は、土壌中に設置した電極（アノード）と防食対象（カソード）との間に直流電源装置を接続して電圧を与え、電極から土壌を介して防食対象に直流電流を流入させて腐食を防止する方法である。一方、流電陽極方式は、防食対象よりも腐食電位がマイナスの金属を、アノード（流電陽極）として、これを防食対象と電線で結び、流電陽極と防食対象間の異種金属電池作用によって流電陽極から発生する電流を、防食電流として防食対象へ流入させて腐食を防止する方法である。一般に、鋼製の土壌埋設パイプラインに対しては流電陽極としてＭｇ陽極が用いられることが多い。
【０００４】
流電陽極方式では、流電陽極が設置されている電解質を流れる迷走電流が流電陽極から防食対象に流入して、流電陽極と防食対象とを接続する電線に流電陽極から防食対象に向けた電流が流れる逆流現象が問題になる。
【０００５】
例えば、土壌中に埋設されているパイプラインが流電陽極方式でカソード防食されている場合、流電陽極はある間隔でパイプラインに電気的に接続されるが、この流電陽極が直流電気鉄道輸送路（レール）の近傍にあると、流電陽極が低接地であるために直流電気鉄道車両通過時に発生するレール漏れ電流が流電陽極に流入する場合がある。
【０００６】
流電陽極を介してパイプラインに流入した電流は、パイプラインに歴青質塗覆装が施されている場合にはその最も接地抵抗の低い箇所から電解質に流出し、パイプラインに高抵抗率塗覆装が施されている場合には塗覆装欠陥部から電解質に流出することになり、その電流流出箇所が腐食することになる。
【０００７】
特に、レールを流れて変電所に戻る電流（リターン電流と称する）は１０００Ａ〜３０００Ａと大きく、そのリターン電流の一部であるレール漏れ電流は非常に大きな値を示すことがあり、このレール漏れ電流の流入によって激しい腐食が誘起される虞があるので、流電陽極に流入する直流迷走電流に対して、流電陽極から防食対象に向けた逆流電流が生じないようにする措置（以下、逆流防止措置という）を講じることはカソード防食管理上重要である。
【０００８】
直流迷走電流の発生はレール漏れ電流によるものに限らない。例えば、高圧直流送電における回路構成方式に大地帰路方式があるが、この大地帰路方式は、往路に導体を用い、帰路に大地又は海水を利用するものであり、往路と帰路の両側で交流から直流へ又は直流から交流へ変換されることになる。したがって、変換設備の接地電極付近では、大きな大地帰路電流が直流迷走電流として流れることになり、接地電極に近接して他構造物に接続されている流電陽極があると、直流迷走電流が流電陽極から防食対象に流入し、この直流迷走電流の大地又は海水への流出箇所で腐食することになる。
【０００９】
また、海洋金属構造物の腐食防止策として流電陽極方式を採用した場合、その近傍に外部電源方式におけるアノードが存在する場合には、外部電源方式におけるアノードから海水に流出した防食電流が流電陽極に流入する干渉現象が特に抵抗率の非常に低い海水中では起こり得る。そこで、外部電源方式でカソード防食されている金属構造物の近傍に、流電陽極方式でカソード防食されている金属構造物がある場合には、流電陽極に逆流防止措置を講じることがカソード防食管理上必要である。
【００１０】
また、一方のカソード防食パイプラインと、このパイプラインのカソード防食施設から干渉を受けている他方のパイプラインとがメタルタッチ（金属部分が接触している状態）しており、直ちにメタルタッチの改善工事ができない場合、メタルタッチ箇所の腐食防止策として、この箇所に流電陽極を設置することが行われている。この場合、カソード防食対象パイプラインのアノードから発生した防食電流の一部である直流電流は、干渉を受けている他方のパイプラインに流入するが、この電流がメタルタッチ箇所から電解質に流出することでメタルタッチ箇所が腐食するのを防止するために、干渉を受けている他方のパイプラインに流入する電流を流電陽極から電解質に流出させるようにしている。
【００１１】
しかしながら、何らかの原因で発生した直流迷走電流が流電陽極に流入した場合には、干渉を受けている他方のパイプラインに流入した電流がメタルタッチ箇所から電解質に流出することになり、メタルタッチ箇所が腐食することがあり得る。よって、このようなメタルタッチ箇所に設置された流電陽極に対しても逆流防止措置が必須である。
【００１２】
従来、流電陽極に対する逆流防止措置としては、防食対象と流電陽極とを接続する電線間に防食対象から流電陽極に向かって順方向となるダイオードを設けることが行われている（例えば、下記特許文献１参照）。
【００１３】
【特許文献１】特開２０００−１１９８８３号公報
【発明の開示】
【発明が解決しようとする課題】
【００１４】
図１は、土壌埋設パイプラインに流電陽極を設置した場合の従来技術を示す説明図である（同図（ａ）は流電陽極の設置状況を示す説明図であり、同図（ｂ）はその際のダイオードの作動特性を示す説明図である）。パイプライン１と流電陽極（Ｍｇ陽極）２とが電線３で接続されており、この電線３にダイオード４が設けられている。この従来技術では、流電陽極２から得られる防食電流Ｉはダイオード４の作動特性によって決まることになる。ダイオード４の特性は、同図（ｂ）に示すように、ダイオード４の両端に掛かる電圧Ｖが順方向電圧ＶFを超えない限り電流Ｉが順方向に流れない特性になっている。
【００１５】
このような従来技術においては、カソード防食の駆動電圧がダイオードの順方向電圧ＶF分だけ差し引かれることになり、ダイオードが無い場合に比べて防食効果が低くなる問題がある。すなわち、例えば歴青質塗覆装パイプラインの場合には、防食電流通電前の管対地電位が−５００ｍＶCSE（飽和硫酸銅電極基準）、流電陽極がＭｇ陽極で防食電流通電前の対地電位が−１５００ｍＶCSEであるとすると、ダイオードが無い場合にはカソード防食の駆動電圧は、−５００−（−１５００）＝１０００ｍＶとなるが、ダイオードを設置した場合の実際の駆動電圧は、（１０００−ＶF）ｍＶとなり、ダイオードが無い場合に比べて低くなってしまう。
【００１６】
また、防食対象が高抵抗率塗覆装パイプラインであって塗覆装が健全な場合には、パイプライン自体は電解質から隔離されているのでパイプラインと流電陽極間の電圧よりもダイオードの順方向電圧ＶFがかなり高い状態になる。したがって、ダイオードをパイプラインと流電陽極間に挿入すると、迷走電流が流電陽極に流入していない状況下において、肝心の防食電流である流電陽極発生電流が得られないことになり、無防食状態になるという問題が生じる。塗覆装に欠陥部が生じてパイプラインの管対地電位がプラスよりになり、ダイオードの両端に掛かる電圧がＶFを超えると防食電流は流れるが、微小な塗覆装欠陥部等で管対地電位の変化が小さい場合には、塗覆装欠陥部が無防食状態になり、そこで腐食が進行することになる。
【００１７】
また、ダイオードには一般に内蔵回路素子を保護するためのヒューズが設けられているが、落雷等によってヒューズが溶断された場合には、防食対象は流電陽極と電気的に遮断されることになるので、防食対象が無防食状態になる問題がある。ヒューズが溶断された場合にはヒューズの交換等で対応可能であるが、パイプライン等では定期点検の周期が一年程度の場合が多く、その間で無防食状態が続くことになるので、腐食の進行が懸念される。
【００１８】
以上の説明から明らかなように、迷走電流の流入がない状況下では、流電陽極と防食対象との間にはダイオードを設けない方が好ましい。したがって、迷走電流の発生が顕著な箇所においてのみ、流電陽極と防食対象との間にダイオードを設ければよいが、例えばレール漏れ電流を対象とした場合を考えると、影響の大きい都市部では回生制動車両が普及しており、レール漏れ電流の発生箇所が特定できない状況になっている。このように、都市部でのレール漏れ電流に対応する場合には、ダイオードの設置箇所を選択又は特定できないという問題がある。
【００１９】
また、例えば、複数の埋設パイプラインが輻輳している場合、外部電源方式によるカソード防食では防食電流自体が他のパイプラインにとっての迷走電流になる干渉リスクが発生するので、この干渉リスクを発生させない又は極力低減させるためのカソード防食法として、発生電流の少ない流電陽極方式が適用されている。
【００２０】
しかしながら、一つのパイプラインに複数の流電陽極が接続されている状況で、各流電陽極に従来技術に示したダイオードによる逆流防止措置を施した場合、一つのダイオードが落雷等によってショートしてしまうと、それに隣接する流電陽極に設置されたダイオードが低抵抗体であるが故に、そのダイオードの排流機能によってショートしたダイオードに接続された流電陽極にレール漏れ電流が集中する現象が生じる。そうすると、前述した一つのパイプラインと並行する他のパイプラインに流入したレール漏れ電流をショートしたダイオードに接続された流電陽極が引き寄せることになり、他のパイプラインへの干渉リスクを誘起してしまう問題が生じる。このような状態は、例えば年に１回の定期点検時まで改善されないので、他のパイプラインにおいて腐食の進行が懸念される。すなわち、流電陽極方式自体は、近接する他の金属体に対する干渉リスクが少ない防食方法であるが、従来技術のようにダイオードによる逆流防止措置を施すと、ダイオードのショートによって却って干渉リスクを誘起してしまう問題が生じる。
【００２１】
本発明は、このような問題に対処するために提案されたものである。前述の説明では主に土壌埋設パイプラインを例にして説明しているが他の防食対象構造物の場合にも同様の問題が生じる。このような問題を解決して、流電陽極方式において効果的な逆流防止措置を講ずることが本発明の目的である。
【課題を解決するための手段】
【００２２】
このような目的を達成するために、本発明は以下の特徴を具備するものである。
【００２３】
一つには、防食対象と流電陽極とを逆流防止手段を介して電気的に接続するカソード防食システムであって、前記逆流防止手段は、前記防食対象と前記流電陽極とを電源無しで接続する通常回路と、前記防食対象と前記流電陽極とを逆流防止電流出力電源を介して接続する逆流防止回路と、前記流電陽極に流入する電流の状況に基づいて切り替えが必要と判断した場合に、前記通常回路を前記逆流防止回路に切り替える切り替え制御手段と、を備える。
【００２４】
また一つには、防食対象と流電陽極とを逆流防止手段を介して電気的に接続するカソード防食システムであって、前記逆流防止手段は、前記防食対象と前記流電陽極とを電源無しで接続する通常回路と、前記防食対象と前記流電陽極とを逆流防止電流出力電源を介して接続する逆流防止回路と、前記通常回路と前記逆流防止回路とを選択的に切り替える回路切り替え手段と、前記通常回路選択時の通過電流を検出する電流検出手段と、前記電流検出手段の検出結果に基づいて切り替えが必要と判断した場合に、前記回路切り替え手段を作動させて前記通常回路を前記逆流防止回路に切り替える切り替え制御手段と、を備えることを特徴とする。
【００２５】
また一つには、前述した特徴に加えて、前記切り替え制御手段は、前記通常回路を前記逆流防止回路に切り替えた時点から設定時間後に、前記回路切り替え手段を作動させて前記通常回路に切り替えることを特徴とする。
【００２６】
また一つには、前述した特徴に加えて、前記切り替え制御手段は、前記防食対象から前記流電陽極に流れる流出電流が閾値以下又は未満になったときに前記通常回路を前記逆流防止回路に切り替えることを特徴とする。
【００２７】
また一つには、前述した特徴に加えて、前記電流検出手段は電流検出用抵抗からなり、前記切り替え制御手段は、前記電流検出用抵抗の両端極性が反転したときに前記通常回路を前記逆流防止回路に切り替えることを特徴とする。
【００２８】
また一つには、前述した特徴に加えて、前記切り替え制御手段は、作動異常時に強制的に前記通常回路に切り替える異常時対応機能を備えることを特徴とする。
【００２９】
更に、防食対象と流電陽極とを電気的に接続する流電陽極方式によるカソード防食方法であって、前記防食対象と前記流電陽極とを電源無しで接続する通常回路によって防食する通常防食工程と、前記防食対象と前記流電陽極とを逆流防止電流出力電源を介して接続する逆流防止回路によって防食する逆流防止防食工程と、前記通常防食工程から前記逆流防止防食工程に切り替える切り替え工程と、を有することを特徴とする。
【００３０】
また、防食対象と流電陽極とを電気的に接続する流電陽極方式によるカソード防食方法であって、前記防食対象と前記流電陽極とを電源無しで接続する通常回路の通過電流を検出する電流検出工程と、前記電流検出工程の検出結果に基づいて切り替えが必要と判断した場合に、前記通常回路を、前記防食対象と前記流電陽極とを逆流防止電流出力電源を介して接続する逆流防止回路に切り替える第１の切り替え工程と、前記第１の切り替え工程の切り替え時点から設定時間後に前記逆流防止回路を前記通常回路に切り替える第２の切り替え工程と、を有することを特徴とする。
【００３１】
このような特徴を有する本願発明によると、以下の作用を得ることができる。
【００３２】
先ずは、防食対象と流電陽極とを電源無しで接続する通常回路或いはこれを用いた通常防食工程と、防食電流と流電陽極とを逆流防止電流出力電源を介して接続する逆流防止回路或いはこれを用いた逆流防止防食工程と、その両者を流電陽極に流入する電流の状況に基づいて、切り替えが必要と判断した場合に切り替える切り替え制御手段或いは切り替え工程とを採用することで、流電陽極方式によるカソード防食システム又は方法において、ダイオードを用いない逆流防止措置を講じることができる。
【００３３】
すなわち、流電陽極に流入する電流が無い又は無視できる場合には、防食対象と流電陽極を直結する通常回路によって所要の駆動電圧を確保したカソード防食の実行が可能であり、流電陽極への流入電流が無視できない場合には、逆流防止電流出力電源を備えた逆流防止回路によって流電陽極から防食対象に流入する逆流電流が生じない状態を形成して、カソード防食を引き続き実行することができる。これによって、防食駆動電圧を低下させることなく、逆流防止措置を図った上で、流電陽極方式によるカソード防食を常に実行することができる。また、防食対象が無防食状態になるのを回避することができる。
【００３４】
また、具体的な特徴としては、通常回路選択時の通過電流を検出することで、この検出結果に基づいて、通常回路から逆流防止回路への切り替えが必要となる状況を判断することができる。そして、この判断によって回路切り替え手段を作動させ、通常回路から逆流防止回路に切り替えることによって、必要時のみ逆流防止回路への切り替えを行うことができるので、逆流防止電流出力電源を効率的に消費することができる。
【００３５】
更には、通常回路を逆流防止回路に切り替えた時点から設定時間後に再び通常回路に切り替えるようにすることで、タイマー設定等の簡易且つ安価なシステム構成で通常回路への復帰動作を行うことができ、設定時間を任意に設定変更することで、流電陽極への流入電流の原因となる直流迷走電流の発生状況に応じた逆流防止回路の作動を行うことができる。
【００３６】
通常回路から逆流防止回路への切り替えが必要であるとの判断は、通常回路選択時の通過電流を検出した検出結果から、防食対象から流電陽極に流れる流出電流が閾値以下又は未満になったときを契機に判断することができる。また、この判断は、通常回路に電流検出用抵抗を設けて、この電流検出用抵抗の両端極性が反転したときを契機に判断することができる。これらの判断によると、定量的に逆流防止回路への切り替えタイミングを設定することが可能になり、確実に逆流現象を排除することができると共に必要時にのみ逆流防止回路を作動させることができる。
【００３７】
更には、逆流防止電流出力電源の電圧低下や落雷等の何らかの原因による作動異常時に強制的に通常回路に切り替える異常時対応機能を備えることで、作動異常によって流電陽極と防食対象との電気的な接続が遮断されて無防食状態に陥ることを回避することができ、また、作動異常時であっても効果的に流電陽極による交流誘導低減効果を発揮させることができる。
【発明の効果】
【００３８】
以上のような本発明の特徴によると、以下の効果を得ることができる。
【００３９】
（１）土壌，海水等の電解質中に存在する塗覆装を施した金属体を防食対象とする流電陽極方式によるカソード防食システム又は方法において、電解質中に迷走電流が発生する状況下であっても、流電陽極から防食対象に電流が流入する逆流現象を確実に防止して、安定したカソード防食状態を継続することができる。
【００４０】
（２）逆流現象が生じる虞がある状況以外は常に防食対象と流電陽極を直結した状態を保つことができるので、所要の駆動電圧によるカソード防食が可能であると共に、効果的に流電陽極による交流誘導低減効果を得ることができる。
【００４１】
（３）特に、レール漏れ電流が発生する直流電気鉄道輸送路の近傍に流電陽極を設置した場合には、レール漏れ電流の発生状況に応じて通常回路から逆流防止回路への切り替え又は逆流防止回路から通常回路への切り替えを行うことができ、効率的に逆流防止措置を講じることができる。また、回生制動車両からのレール漏れ電流についても、レール漏れ電流の発生が予測される箇所に本発明のシステムを設置することで、レール漏れ電流の影響が無い場合は通常回路で作動し、レール漏れ電流の影響が有る場合に逆流防止回路に切り替えることができる。
【００４２】
（４）海洋金属構造物の腐食防止策として流電陽極方式を採用している場合であって、外部電源方式でカソード防食されている金属構造物の近傍に、流電陽極方式でカソード防食されている金属構造物がある場合に、本発明のシステム或いは防食方法を採用することによって、効果的に流電陽極に逆流防止措置を講じることができる。
【００４３】
（５）一方のカソード防食パイプラインと、このパイプラインのカソード防食施設から干渉を受けている他のパイプラインとのメタルタッチ箇所に設置された流電陽極に対して、本発明のシステム或いは防食方法を採用することによって、効果的に流電陽極に逆流防止措置を講じることができ、メタルタッチ箇所の腐食を防止することができる。
【００４４】
（６）防食対象が高抵抗率塗覆装パイプラインであって塗覆装が健全な場合、流電陽極に流入する電流の影響が無い状況では通常回路でパイプラインと流電陽極が直結されるので、ダイオードを設置する場合のような無防食状態になることはなく、仮に微小な塗覆装欠陥部が発生しても流電陽極発生電流を防食電流としたカソード防食を施すことができる。
【００４５】
（７）異常時対応機能を設けることで、落雷時にも防食対象と流電陽極とが電気的に遮断されて無防食状態になることを回避することができる。
【００４６】
（８）逆流防止措置として防食対象と流電陽極間にダイオードを設置した場合には、ダイオードによる排流機能が防食対象に近接する他の金属体の腐食を進行させる干渉リスクが生じる虞があるが、本発明はダイオードを設置することなく逆流防止を行うので、干渉リスクが生じることがない。
【００４７】
以上説明したとおり、本発明のカソード防食システム或いはカソード防食方法によると、流電陽極方式において、ダイオードを設置することなく効果的に逆流防止措置を講じることができる。
【発明を実施するための最良の形態】
【００４８】
以下、本発明の実施形態を図面に基づいて説明する。図２は、本発明の実施形態に係るカソード防食システムを示す説明図である。この実施形態は、防食対象Ｍと流電陽極２とを逆流防止手段１０を介して電気的に接続するカソード防食システムである。逆流防止手段１０は、防食対象Ｍと流電陽極２とを電源無しで接続する通常回路１１、防食対象Ｍと流電陽極２とを逆流防止電流出力電源１２Ａを介して接続する逆流防止回路１２、流電陽極２に流入する電流の状況に基づいて切り替えが必要と判断した場合に、通常回路１１を逆流防止回路１２に切り替える切り替え制御手段１３を備えている。切り替え制御手段１３は回路切り替え手段１４を作動させて通常回路１１と逆流防止回路１２とを切り替えるものである。
【００４９】
ここで、切り替え制御手段１３は、流電陽極２に流入する電流の状況に基づいて切り替えの要否を判断するものであって、入力手段，記憶手段，演算処理手段，出力手段を備え、切り替え制御信号を出力できるものである。動作の一例としては、流電陽極２の周辺電解質中を流れる迷走電流の実測値或いは予測値のデータ、或いは迷走電流発生頻度の時刻分布データ等に基づいて、流電陽極２に流入する電流の状況を把握し、この状況に基づいて切り替えの要否を判断して切り替えのタイミングを出力する。
【００５０】
図示の実施形態によると、防食対象Ｍと電線とを接続する接続点Ａと流電陽極２と電線とを接続する接続点Ｄとを結ぶ通常回路１１に対して、接続点Ｂと接続点Ｃで逆流防止回路１２が並列接続されており、通常回路１１の開閉するスイッチ部１４Ａと逆流防止回路１２を開閉するスイッチ部１４Ｂとが選択的に動作するように回路切り替え手段１４が構成されている。そして、切り替え制御手段１３からの出力信号によって、スイッチ部１４Ａとスイッチ部１４Ｂとが選択的に切り替えられることになる。
【００５１】
このような本発明の実施形態では、流電陽極２に流入する電流が無い又は無視できる場合、すなわち、防食対象Ｍから流電陽極２に向かう順方向電流の所要レベルが確保されている場合には、防食対象Ｍと流電陽極２とは通常回路１１によって直結されているので、防食対象Ｍの周辺電解質に対する電位（防食対象Ｍの金属対電解質電位）と流電陽極２の周辺電解質に対する電位（流電陽極２の金属対電解質電位）との差によって生じる駆動電圧によって流電陽極２から防食電流を出力することができる。
【００５２】
そして、切り替え制御手段１３が、流電陽極２から防食対象Ｍに向かう逆流電流の発生を検知又は予測した場合には、切り替え制御手段１３からの出力信号によって、回路切り替え手段１４が切り替えられ、防食対象Ｍと流電陽極２とは逆流防止回路１２によって接続されることになり、逆流防止電流出力電源１２Ａによって付加される駆動電圧によって、防食対象Ｍから流電陽極２に向かう順方向電流が十分に確保され、流電陽極２から防食対象Ｍに向かう逆流電流の発生を確実に防止する。
【００５３】
ここで、逆流防止回路１２は、逆流現象の発生が懸念される期間だけ作動すればよいから、回路切り替え制御手段１３は、所定の条件で逆流防止回路１２から通常回路１１に切り替える復帰信号を出力する。この復帰信号は、タイマー等の設定時間による条件設定、或いは流電陽極２への流入電流の検出値又は予測値による状況把握等による条件設定によって出力され、この出力信号によって回路切り替え手段１４が作動して、逆流防止回路１２から通常回路１１への切り替えが行われる。
【００５４】
これによると、通常回路１１と逆流防止回路１２との切り替えによって流電陽極２から流入する電流に対する逆流防止措置を講じるので、ダイオードの設置が不要になり、ダイオード設置による不利益、例えば、防食効果の低下（順方向電圧ＶF分だけ駆動電圧が差し引かれることによる防食効果の低下）、無防食状態の発生、或いは近接する他の金属体への干渉リスク等、を招くことがない。また、逆流現象の発生が懸念されない期間は、通常回路１１によって防食対象Ｍと流電陽極２とは直結状態になっているので、流電陽極２による交流誘導低減効果を十分に発揮させることができる。更に、切り替え制御手段１３が逆流防止回路１２の作動を必要最小限に抑える制御をすれば、逆流防止電流出力電源１２Ａの消耗を抑えることができ、システムの耐久性を向上させることができる。
【００５５】
図３は、本発明の他の実施形態を示す説明図である（前述の実施形態と同一機能部には同一符号を付して一部説明を省略する）。この実施形態は、防食対象Ｍと流電陽極２とを逆流防止手段２０を介して電気的に接続するカソード防食システムであって、逆流防止手段２０は、防食対象Ｍと流電陽極２とを電源無しで接続する通常回路１１と、防食対象Ｍと流電陽極２とを逆流防止電流出力電源１２Ａを介して接続する逆流防止回路１２と、通常回路１１と逆流防止回路１２とを選択的に切り替える回路切り替え手段１４と、通常回路１１選択時の通過電流を検出する電流検出手段２１と、電流検出手段２１の検出結果に基づいて切り替えが必要と判断した場合に、回路切り替え手段１４を作動させて通常回路１１を逆流防止回路２１に切り替える切り替え制御手段２２と、を備えるものである。
【００５６】
この実施形態では、逆流防止手段２０が電流検出手段２１を備えており、防食対象Ｍから流電陽極２へ向かう順方向電流の状況をこの電流検出手段２１で検出し、この検出結果に基づいて切り替え制御手段２２が回路切り替え手段１４の切り替えタイミングを出力する。電流検出手段２１としては、電流の方向を含めた計測値をサンプリングできるもの、或いは、電流検出用抵抗を備えて、その両端極性によって通過電流の順方向又は逆方向を検出できるもの等を採用することができる。
【００５７】
電流検出手段２１の検出結果に基づく切り替え制御手段２２の判断は、例えば、防食対象Ｍから流電陽極２に流れる流出電流が閾値以下又は未満になったときに通常回路１１を逆流防止回路１２に切り替える切り替え制御信号を出力する。或いは、前述した電流検出用抵抗の両端極性が反転（順方向から逆方向への反転）したときに通常回路１１を逆流防止回路１２に切り替える切り替え制御信号を出力する。
【００５８】
このような実施形態によると、逆流現象の発生又は予兆を実測値に基づいて把握し、これに基づいて通常回路１１から逆流防止回路１２への切り替えを行うので、確実且つ効率的に逆流防止措置を講じることができる。特に、電流検出手段２１によって通常回路１１接続時の通過電流を検出しているので、逆流現象を直接的に把握することができることになり、必要性に応じた逆流防止対策を適切に施すことが可能になる。
【００５９】
また、切り替え制御手段２２の判断として、防食対象Ｍから流電陽極２に流れる流出電流が閾値以下又は未満になったときに通常回路１１を逆流防止回路１２に切り替える切り替え制御信号を出力するようにすることで、逆流現象が生じるのを未然に防止することができ、閾値の設定によってリスク回避の安全率を適宜設定することができる。
【００６０】
切り替え制御手段２２の判断として、前述した電流検出用抵抗の両端極性が反転（順方向から逆方向への反転）したときに、通常回路１１を逆流防止回路１２に切り替える切り替え制御信号を出力する場合には、逆流現象の発生事実を検出して切り替えを実行するので、逆流防止回路１２の作動をより効率的に行うことができる。
【００６１】
この実施形態においても、逆流防止回路１２は、逆流現象の発生が懸念される期間だけ作動すればよいから、回路切り替え制御手段１３は、所定の条件で逆流防止回路１２から通常回路１１に切り替える復帰信号を出力する。この復帰信号は、タイマー等の設定時間によって、通常回路１１から逆流防止回路１２に切り替えた時点から設定時間後に信号を出力する、或いは電流検出手段２１の検出結果によって逆流の懸念が無くなったことを判断して信号を出力する等の設定が可能である。特に、通常回路１１から逆流防止回路１２に切り替えた時点から設定時間後に信号を出力する場合には、簡易且つ安価なシステム構成で実行可能であり、しかも電流検出手段２１の検出結果が短時間で変動する場合にも安定した動作を得ることができる。
【００６２】
更に、切り替え制御手段２２は、作動異常時に強制的に通常回路１１に切り替える異常時対応機能を備えることが好ましい。この機能を備えることで、システムに作動異常が生じても、通常回路１１を介した防食対象Ｍと流電陽極２との接続が確保されるので、防食対象Ｍと流電陽極２とが遮断されて無防食状態になる等の不都合を回避できる。
【実施例】
【００６３】
以下、防食対象がパイプラインである場合を例にして、本発明の更に具体的な実施例を説明する。ここでは一例として防食対象をパイプラインにしているが、実施例の防食対象はこれに限定されるものではない。
【００６４】
［実施例１：通過電流を検出する例］
図４は、本発明の実施例に係るカソード防食システムを示すシステム構成図である。この実施例に係るカソード防食システムは、パイプライン１と流電陽極２とを、アナログ回路部３０Ａとデジタル制御部３０Ｂからなる逆流防止手段３０を介して電気的に接続している。
【００６５】
アナログ回路部３０Ａは、パイプライン１との接続点Ｅと流電陽極２との接続点Ｆとを電源無しで接続する通常回路３１と、パイプライン１との接続点Ｅと流電陽極２との接続点Ｆとを逆流防止電流出力電源３２Ａを介して接続する逆流防止回路３２とを備えている。
【００６６】
通常回路３１には、通常回路３１選択時の通過電流を検出する電流検出手段となる電流検出用抵抗３３が設けられており、また、通常回路３１と逆流防止回路３２とを選択的に切り替える回路切り替え手段となる回路切り替え素子３４が設けられている。一方、逆流防止回路３２は、電流検出用抵抗３３に対して流電陽極２側の接続点Ｇと回路切り替え手段素子３４に対して流電陽極２側の接続点Ｈで通常回路１１に並列接続されており、逆流防止電流出力電源３２Ａに対して流電陽極２側に可変定電流設定回路３５が設けられている。また、安全対策として、回路全体を異常電圧や雷サージ等から保護するためのバリスタ３６が接続点Ｅと接続点Ｆとを直結するように設けられている。
【００６７】
デジタル制御部３０Ａは、通常回路３１と逆流防止回路３２とを切り替える切り替え制御手段となる制御部３７と、制御部３７の制御用駆動電源３８と、制御部３７の作動条件設定や動作管理などを行う入力手段及び出力モニタ手段を備えたＰＣ（コントローラ）３９とからなる。
【００６８】
制御部３７は、通常回路３１の通過電流と電流検出用抵抗３３の両端極性とを入力信号として得ることができ、回路切り替え素子３４に対して切り替え制御信号を出力できるように、アナログ回路部３０Ａに接続されている。
【００６９】
制御部３７の機能は、前述した入力信号の計測値をＡＤコンバータによってサンプリングするサンプリング機能、この計測値によって流電陽極２に流入する電流の状況を把握して通常回路３１から逆流防止回路３２への切り替えが必要であるか否かを判断する判断機能、この判断に基づいて切り替え制御信号を出力する切り替え出力機能、必要に応じて逆流防止回路３２から通常回路３１への復帰を行う切り替え制御信号を出力する復帰出力機能を基本機能として備えている。
【００７０】
また、異常時対応機能として、逆流防止電流出力電源３２Ａの電圧低下や制御用駆動電源３８の電圧低下等によって制御部３７が作動しなくなった場合に、アラームを発生して自動的に通常回路３１への切り替えを実行する機能や、アナログ回路部３０Ａの可変定電流設定回路３５における定電流値を可変制御する機能等を備えている。
【００７１】
前述の判断機能は、通常回路３１の通過電流の計測値を閾値と比較して通過電流が閾値以下又は未満になった時に通常回路３１から逆流防止回路３２への切り替えが必要であると判断する。或いは、電流検出用抵抗３３の両端極性が順方向から逆方向に反転した時に通常回路３１から逆流防止回路３２への切り替えが必要であると判断する。
【００７２】
ＰＣ３９は、制御部３７の判断機能に用いられる閾値の設定や、アナログ回路部３０Ａの可変定電流設定回路３５における定電流値の設定などを行う。また、制御部３７の各種動作管理及びカソード防食システムの動作管理を行うために、モニタ出力には、流電陽極２の発生電流の経時変化グラフ、流電陽極２の発生電流の積算値、通常回路３１／逆流防止回路３２の切り替え回数、逆流防止回路３２の作動積算時間、逆流防止電流出力電源３２Ａの電圧監視、制御用駆動電源３８の電圧監視、等を行うことができる表示がなされる。
【００７３】
図５は、本発明の実施例に係るカソード防食システムの動作を説明する説明図であって、制御部３７の動作例を示したタイムチャート図である。システムの作動開始時には、アナログ回路部３０Ａは通常回路３１が選択されている。制御部３７は、基本計測動作として、１ｓ毎に流電陽極２の流出入電流状態を監視する動作を行い、１ｓの最初の２０ｍｓｅｃの区間を０．１ｍｓｅｃのサンプリング間隔で、通常回路３１の通過電流（電流検出用抵抗３３を流れる電流）と、電流検出用抵抗３３の両端の極性を計測する。
【００７４】
この２０ｍｓｅｃの間で通過電流が閾値以下（又は未満）になるか、或いは電流検出用抵抗の両端の極性が反転したならば、その時点（図示の時点ｔ1）で制御部３７は回路切り替え素子３４に対して切り替え制御信号を出力して、通常回路３１から逆流防止回路３２への切り替えがなされる。そして、通常回路３１から逆流防止回路３２へ切り替えられた時点（ｔ1）から設定時間（図示の例では１ｓ）だけ逆流防止回路３２の選択状態が維持され、この設定時間経過後に制御部３７は切り替え制御信号を出力して逆流防止回路３２から通常回路３１への切り替えを行う。
【００７５】
設定時間経過後に通常回路３１に切り替えられた時点（図示の時点ｔ2）から設定時間だけ通過電流と電流検出用抵抗の両端極性を計測し、その間で、通過電流が閾値以下（又は未満）であるか、或いは電流検出用抵抗３３の両端の極性が流入状態であれば、その時点（図示の時点ｔ3）で、制御部３７は再び切り替え制御信号を出力して逆流防止回路３２を選択する。その後は、前述したように、切り替えられた時点（ｔ3）から設定時間（１ｓ）だけ逆流防止回路３２の選択状態が維持され、この設定時間経過後に制御部３７は切り替え制御信号を出力して逆流防止回路３２から通常回路３１への切り替えを行う。この時点（図示の時点ｔ4）から再び設定時間だけ通過電流と電流検出用抵抗３３の両端極性を計測し、その間で、通過電流が閾値以下（又は未満）であるか、或いは電流検出用抵抗３３の両端の極性が流入状態であれば、制御部３７は再び切り替え制御信号を出力して逆流防止回路３２を選択するが、通過電流が閾値を超えているか、或いは電流検出用抵抗３３の両端の極性が流出状態になっていれば、通常回路３１の選択が維持される。
【００７６】
図６は、本発明の実施例に係るカソード防食システムを用いたカソード防食方法を説明する説明図（工程フロー図）である。
【００７７】
この実施例に係るカソード防食方法は、主要な工程として、防食対象（パイプライン１）と流電陽極２とを電源無しで接続する通常回路３１によって防食する通常防食工程（Ｓ１）と、防食対象（パイプライン１）と流電陽極２とを逆流防止電流出力電源３２Ａを介して接続する逆流防止回路３２によって防食する逆流防止防食工程（Ｓ５）と、流電陽極２に流入する電流の状況に基づいて切り替えが必要と判断した場合（判断工程Ｓ３）に、通常防食工程から逆流防止防食工程に切り替える切り替え工程（Ｓ４）と、を有するものである。また、更に具体的には、防食対象（パイプライン１）と流電陽極２とを電源無しで接続する通常回路３１の通過電流を検出する電流検出工程（Ｓ２）と、電流検出工程の検出結果に基づいて切り替えが必要と判断した場合（判断工程Ｓ３）に、通常回路３１を、防食対象（パイプライン１）と流電陽極２とを逆流防止電流出力電源３３Ａを介して接続する逆流防止回路３２に切り替える第１の切り替え工程（Ｓ４）と、第１の切り替え工程の切り替え時点から設定時間後に逆流防止回路３２を通常回路３１に切り替える第２の切り替え工程（Ｓ７）と、を有する。
【００７８】
図示の工程フロー図に沿って具体例を説明すると、システムの作動開始と共に通常回路３１が選択される通常防食工程Ｓ１が実行され、それと同時に通常回路３１の通過電流を検出する電流検出工程Ｓ２が実行される。そして、通過電流を閾値と比較するか或いは電流検出用抵抗３３の両端極性が流出状態になっているか否かを判断する判断工程Ｓ３が実行され、判断工程Ｓ３で切り替えが必要ないと判断された場合（ＮＯの場合）は、通常回路３１を維持した状態で引き続き電流検出工程Ｓ２が実行され（例えば、１ｓ毎の電流監視等）、判断工程Ｓ３で切り替えが必要であると判断された場合（ＹＥＳの場合）には、通常回路３１を逆流防止回路３２に切り替える第１の切り替え工程Ｓ４が実行され、それによって逆流防止回路３２が選択された逆流防止防食工程Ｓ５が実行されることになる。
【００７９】
逆流防止防食工程Ｓ５が実行された時点から設定時間が経過するまでの間（Ｓ６：ＮＯ）は逆流防止防食工程Ｓ５が継続され、設定時間経過後には（Ｓ６：ＹＥＳ）、通常回路３１から逆流防止回路３２に切り替えられる第２の切り替え工程Ｓ７が実行され、それによる切り替え制御信号によって通常回路３１が選択されて通常防食工程Ｓ８が実行される。そして、作動継続の場合（Ｓ９：ＹＥＳ）には、電流検出工程Ｓ２が再び実行され、切り替えが必要と判断された場合（Ｓ３：ＹＥＳ）には、第１の切り替え工程Ｓ４から逆流防止防食工程Ｓ５が実行され、切り替えが不必要と判断された場合（Ｓ３：ＮＯ）には、通常回路３１が選択された状態で引き続き電流検出工程Ｓ２が実行されることになる。以上の動作はシステム作動が終了（Ｓ９：ＮＯ）するまで継続される。
【００８０】
ここで、通常防食工程Ｓ１では、パイプライン１の金属対電解質電位と流電陽極２（一般にはＭｇ陽極）の金属対電解質電位の電位差を駆動電圧として流電陽極２から防食電流である直流電流を発生させている。流電陽極２の設置環境に迷走電流が存在しない場合にこの通常防食工程Ｓ１が実行されることになり、歴青質塗覆装パイプラインを防食対象にする場合には、パイプライン→電流検出用抵抗３３→流電陽極２→電解質→パイプライン１の経路でパイプライン１に防食電流が流入する。高抵抗率塗覆装パイプラインを防食対象とする場合で、且つ塗覆装欠陥がない場合には、防食電流を発生させるためには塗覆装を模擬したプローブが必要となり、プローブ→パイプライン１→電流検出用抵抗３３→流電陽極２→電解質→プローブの経路で、プローブを介してパイプライン１に防食電流が流入することになる。
【００８１】
通常防食工程Ｓ１の電流流出状態では、電流検出用抵抗３３の両端においてそのパイプライン側が流電陽極側に対してプラスの電圧になる。すなわち、電流検出用抵抗３３のパイプライン側がプラス、流電陽極側がマイナスになる。電流検出用抵抗３３は、０．１Ω程度の非常に低い抵抗で十分であるため、この電流検出用抵抗３３による電圧降下（電流検出用抵抗を流れる電流による電圧降下）は小さく、この電圧降下による駆動電圧の低下分は非常に小さいものとなり、防食効果に及ぼす悪影響はない。
【００８２】
本発明の実施例における通常防食工程Ｓ１でのカソード防食の駆動力と従来技術（パイプライン１と流電陽極２との間にダイオードを設置したもの）におけるカソード防食の駆動力との違いを具体的数値例によって説明する。
【００８３】
防食対象を歴青質塗覆装パイプラインとして、流電陽極２をＭｇ陽極とすると、防食対象の防食電流通電前の金属対電解質電位は−５００ｍＶCSE、流電陽極２の防食電流通電前の金属対電解質電位は−１５００ｍＶCSEである。したがって、パイプライン１と流電陽極２とを短絡接続した場合には、カソード防食の駆動電圧は、（防食電流通電前の防食対象の金属対電解質電位）−（防食電流通電前の流電陽極の金属対電解質電位）＝（−５００）−（−１５００）＝１０００（ｍＶ）となる（ケース１：短絡の場合）。
【００８４】
これに対して、従来技術では、ダイオードの順方向電圧ＶF分だけ駆動電圧が低下することになるので、順方向電圧ＶF＝４００ｍＶとすると、カソード防食の駆動電圧は、（防食電流通電前の防食対象の金属対電解質電位）−（防食電流通電前の流電陽極の金属対電解質電位）−（ダイオードの順方向電圧ＶF）＝（−５００）−（−１５００）−４００＝６００（ｍＶ）となる（ケース２：ダイオード設置の場合）。
【００８５】
一方、本発明の実施例における通常回路３１では、回路切り替え素子３４の電圧降下はゼロであり、電流検出用抵抗３３を１Ωとしても通常回路３１を流れる電流を２０ｍＡとすると、電流検出用抵抗３３による電圧降下は２０ｍＶである。したがって、カソード防食の駆動電圧は、（防食電流通電前の防食対象の金属対電解質電位）−（防食電流通電前の流電陽極の金属対電解質電位）−（電流検出用抵抗による電圧降下）＝（−５００）−（−１５００）−２０＝９８０（ｍＶ）となる（ケース３：本発明の実施例の場合）。
【００８６】
ケース１〜３を比較すると、ケース２のダイオードを設置した従来技術では、ケース１に対して４０％（＝（１０００−６００）／１０００）もの大幅な駆動力低下が生じることになるのに対して、ケース３の本発明の実施例における通常防食工程では、ケース１に対して僅か２％（＝（１０００−９８０）／１０００）の減少にすぎず、駆動力低下はケース２のダイオードを設置した従来技術と比べると無視できるレベルである。
【００８７】
また、逆流防止防食工程Ｓ５は、流電陽極２に周辺の電解質を流れる直流迷走電流が流入している状態であり、通常回路３１が断ち切られて逆流防止回路３２が選択された状態である。この逆流防止防食工程Ｓ５では、パイプライン１→電流検出用抵抗３３→逆流防止電流出力電源３２Ａ→可変定電流設定回路３５→流電陽極２→電解質→パイプライン１（又はプローブ）の経路で、流電陽極２へ流入する電流を抑制しながら、パイプライン１に防食電流が流入する。
【００８８】
流電陽極２に流入する電流（流入電流）が、高速電気鉄道車両の通過に伴って発生するレール漏れ電流に起因する場合には、本発明の実施例のシステムに高速電気鉄道車両が近づいてくると流電陽極２の発生電流が減少することになる。この流入電流による逆流現象を確実に防止するためには、閾値を設定して、通常回路３１の通過電流が閾値以下になったら制御部３７が切り替え制御信号を出力して通常回路３１から逆流防止回路３２への切り替えを行い、逆流防止防食工程Ｓ５を実行するようにした方が良い。特にレールが複数システムの近傍に存在する場合は、この閾値による切り替えが有効な逆電流防止措置になる。
【００８９】
［実施例２：通過電流を検出しない例］
図７は、本発明の他の実施例を示した説明図である。この実施例では、通常回路の通過電流を検出することなく、流電陽極の設置箇所周辺における迷走電流の発生状況に基づいて通常回路から逆流防止回路への切り替えを行う。
【００９０】
この実施例では、パイプライン１と流電陽極２とは、逆流防止手段１０（図２参照）を介して電気的に接続されている。そして、流電陽極２は、直流電気鉄道レールの踏切部近傍に設置されており、その踏切部周辺の電解質（土壌）表面に一対の照合電極４０Ａ，４０Ｂが設置されている。照合電極４０Ａ，４０Ｂは、踏切部から流電陽極２の設置位置に向かう直線上に所定間隔Ｌ0（１ｍ）離れて設置されており、その間を接続する電線に電圧計４１が接続されている。
【００９１】
この実施例では、電圧計４１の計測値によって踏切部から流電陽極２に向かう迷走電流の大きさを把握することができる。つまり、図示のように、照合電極４０Ａ（踏切部に近い側の照合電極）側が＋（照合電極４０Ｂ（流電陽極２に近い側の照合電極）側が−）になる電圧の極性が検出され、しかもその時の電圧値が、例えば、５ｍＶを超えるような大きな値を示している場合には、踏切部を通過する直流電気鉄道車両から大きなレール漏れ電流が発生し、それが矢印で示すように流電陽極２に流入する方向に流れていることを把握することができる。
【００９２】
このように、電圧計４１で計測される電圧の極性及び電圧値に基づいて、通常回路から逆流防止回路に切り替えることが必要であると判断される場合に、逆流防止手段１０のシステムに信号を伝達し、通常回路から逆流防止回路への切り替え動作を行う。
【００９３】
この実施例によると、流電陽極２の設置箇所周辺における迷走電流の発生状況によって流電陽極２への電流の流入が生じることを予知することが可能になり、流入電流が生じる前に通常回路から逆流防止回路への切り替えを行うことが可能になる。したがって、過大のレール漏れ電流が瞬時に発生するような事態であっても、これによる逆流現象を未然に防止することができ、逆流現象による腐食リスクを確実に回避することができる。
【図面の簡単な説明】
【００９４】
【図１】従来技術の説明図である。
【図２】本発明の実施形態に係るカソード防食システムを説明する説明図である。
【図３】本発明の他の実施形態に係るカソード防食システムを説明する説明図である。
【図４】本発明の実施例に係るカソード防食システムを示すシステム構成図である。
【図５】本発明の実施例に係るカソード防食システムの動作を説明する説明図であって、制御部３７の動作例を示したタイムチャート図である。
【図６】本発明の実施例に係るカソード防食システムを用いたカソード防食方法を説明する説明図（工程フロー図）である。
【図７】本発明の他の実施例を示した説明図である。
【符号の説明】
【００９５】
１    パイプライン
２    流電陽極
３    電線
４    ダイオード
１０，２０，３０    逆流防止手段
１１，３１    通常回路
１２，３２    逆流防止回路
１２Ａ，３２Ａ    逆流防止電流出力電源
１３，２２    切り替え制御手段
１４    回路切り替え手段
１４Ａ，１４Ｂ    スイッチ部
２１    電流検出手段
３０Ａ    アナログ回路部
３０Ｂ    デジタル制御部
３３    電流検出用抵抗
３４    回路切り替え素子
３５    可変定電流設定回路
３６    バリスタ
３７    制御部
３８    制御用駆動電源
３９    ＰＣ
４０Ａ，４０Ｂ    照合電極
４１    電圧計
Ｍ    防食対象
【図１】
2008121061.tif 000003
【図２】
2008121061.tif 000004
【図３】
2008121061.tif 000005
【図４】
2008121061.tif 000006
【図５】
2008121061.tif 000007
【図６】
2008121061.tif 000008
【図７】
2008121061.tif 000009